(57)【特許請求の範囲】
【請求項１】
ケースに設けられたケース壁部と、前記ケースに設けられ、前記ケース壁部と対向するリブとの間に、互いに直交して断面Ｌ字を構成する第１の壁部及び第２の壁部を有し、少なくとも前記第１の壁部にアンテナ素子を有するアンテナ部材を、前記第１の壁部が前記ケース壁部に対向するように前記第２の壁部側から挿入し、
前記ケースに設けられ、前記ケース壁部に平行な棒状部を前記第２の壁部に設けられた孔部に挿通し、前記ケースに設けられた支持部により前記第２の壁部のうち前記棒状部の延出方向とは反対側の面を前記棒状部よりも前記第１の壁部側の位置にて支持し、前記リブに設けられた係合部を前記第２の壁部の前記第１の壁部とは反対側の端部に設けられた被係合部に前記棒状部の延出方向とは反対側へ係合させて前記第２の壁部の前記棒状部からの抜けを防止し、前記アンテナ部材を前記ケースに取り付けるアンテナ取付構造であって、
前記アンテナ部材は、
前記係合部と、前記第１の壁部の前記第２の壁部とは反対側の縁部との間で、且つ、前記棒状部と前記リブとの間を通り、且つ前記第１の壁部と前記第２の壁部との交差線に平行な所定の軸回りに回転可能に構成され、
第１支点を構成するように前記ケースに対して前記棒状部から前記リブの方向に当接する第１当接部と、
第２支点を構成するように前記ケースに対して前記棒状部の先端側から根元側の方向に当接する第２当接部と、
を備えているアンテナ取付構造。
【請求項２】
前記第１当接部は、前記第１の壁部及び前記第２の壁部の内角側に形成された突支部であり、
前記突支部は、前記リブに対して前記棒状部に直交する方向に当接し、前記突支部の縁部及び前記リブの縁部の少なくとも一方により前記第１支点を構成する
請求項１に記載のアンテナ取付構造。
【請求項３】
前記第２当接部は、前記第１の壁部及び前記第２の壁部の少なくとも一方の前記交差線方向の端部から延出し、前記第２の壁部よりも前記第１の壁部の前記縁部側に位置する延出部であり、
前記ケースには、前記ケースの前記ケース壁部と前記リブとの間において前記第２の壁部よりも前記棒状部の延出方向へ突出する延出部用突部が設けられ、
前記延出部は、前記延出部用突部に対して前記棒状部に直交する方向に当接し、前記延出部の縁部により前記第２支点を構成する
請求項１に記載のアンテナ取付構造。
【請求項４】
前記孔部は、前記第１の壁部に隣接して設けられ、前記孔部の前記第１の壁部側の部分は、前記第１の壁部に形成された溝部により形成されている
請求項１に記載のアンテナ取付構造。
【請求項５】
第１ケースに設けられたケース壁部と、前記第１ケースに設けられ、前記ケース壁部と対向するリブとの間に、互いに直交して断面Ｌ字を構成する第１の壁部及び第２の壁部を有し、少なくとも前記第１の壁部にアンテナ素子を有するアンテナ部材を、前記第１の壁部が前記ケース壁部に対向するように前記第２の壁部側から挿入し、
前記第１ケースに設けられ、前記ケース壁部に平行な棒状部を前記第２の壁部に設けられた孔部に挿通し、前記ケースに設けられた支持部により前記第２の壁部のうち前記棒状部の延出方向とは反対側の面を前記棒状部よりも前記第１の壁部側の位置にて支持し、前記リブに設けられた係合部を前記第２の壁部の前記第１の壁部とは反対側の端部に設けられた被係合部に前記棒状部の延出方向とは反対側へ係合させて前記第２の壁部の前記棒状部からの抜けを防止し、
前記ケース壁部と前記リブとの間に挿入された前記アンテナ部材に第２ケースを被せ、前記第１ケースと前記第２ケースとを結合して筐体を構成する携帯無線機であって、
前記第１ケースには、前記第２の壁部の前記第１の壁部とは交差しない部分を支持可能な第１支持突部が設けられ、
前記第２ケースには、前記第１ケース側へ突出する第２支持突部が設けられ、
前記第１ケースと前記第２ケースとを結合することにより、前記第１の壁部が前記支持部と前記第２ケースとにより挟持されるとともに、前記第２壁部が前記第１支持突部と前記第２支持突部とに挟持される
携帯無線機。
【請求項６】
第１ケースに設けられたケース壁部と、前記第１ケースに設けられ、前記ケース壁部と対向するリブとの間に、互いに直交して断面Ｌ字を構成する第１の壁部及び第２の壁部を有し、少なくとも前記第１の壁部にアンテナ素子を有するアンテナ部材を、前記第１の壁部が前記ケース壁部に対向するように前記第２の壁部側から挿入し、
前記第１ケースに設けられ、前記ケース壁部に平行な棒状部を前記第２の壁部に設けられた孔部に挿通し、前記ケースに設けられた支持部により前記第２の壁部のうち前記棒状部の延出方向とは反対側の面を前記棒状部よりも前記第１の壁部側の位置にて支持し、前記リブに設けられた係合部を前記第２の壁部の前記第１の壁部とは反対側の端部に設けられた被係合部に前記棒状部の延出方向とは反対側へ係合させて前記第２の壁部の前記棒状部からの抜けを防止し、
前記ケース壁部と前記リブとの間に挿入された前記アンテナ部材に第２ケースを被せ、前記第１ケースと前記第２ケースとを結合して筐体を構成する携帯無線機であって、
前記アンテナ部材は、前記第１の壁部及び前記第２の壁部の少なくとも一方の前記交差線方向の端部から、前記第１の壁部よりも前記リブ側へ延出する延出部を有し、
前記第１ケースと前記第２ケースとを結合することにより、前記第１の壁部が前記支持部と前記第２ケースとにより挟持されるとともに、前記延出部が第１ケースと前記第２ケースとに挟持される
携帯無線機。
【請求項７】
前記第１ケースのうち前記第２の壁部と対向する対向面部には、前記ケース壁部と前記リブとに挟まれる位置であって、前記第２ケースから見て前記係合部と重なる位置に開口部が形成され、
前記対向面部及び前記第２の壁部の少なくとも一方には、前記対向面部、前記第２の壁部、前記ケース壁部及び前記リブにより囲まれ、前記開口部を含む空間を閉じる遮蔽リブが設けられている
請求項５又は６に記載の携帯無線機。
【発明の詳細な説明】
【技術分野】
【０００１】
本発明は、携帯電話機等におけるアンテナ取付構造及び携帯電話機等の携帯無線機に関する。
【背景技術】
【０００２】
携帯電話機やＰＤＡ等の携帯無線機は、外観デザインを考慮してアンテナを筐体内に内蔵したものが増加しつつある。アンテナを筐体内に内蔵する手段としては、例えば、特許文献１に示すように、筐体内壁に板金のアンテナ素子を貼り付けるとともに、このアンテナと回路基板との導通を図るようになっていた。
【特許文献１】特開平１０−１９０５１２号公報
【発明の開示】
【発明が解決しようとする課題】
【０００３】
しかし、アンテナを筐体内壁に取り付けるにあたり、所定の位置に正確に貼り付けることが難しいといった課題があった。そのため、製造時だけでなくメンテナンス時等においても組み立てに時間がかかり、作業性を向上することが困難であった。
【０００４】
本発明の目的は、アンテナの着脱が容易なアンテナ取付構造及び携帯無線機を提供することにある。
【課題を解決するための手段】
【０００５】
本発明の第１の観点のアンテナ取付構造は、ケースに設けられたケース壁部と、前記ケースに設けられ、前記ケース壁部と対向するリブとの間に、互いに直交して断面Ｌ字を構成する第１の壁部及び第２の壁部を有し、少なくとも前記第１の壁部にアンテナ素子を有するアンテナ部材を、前記第１の壁部が前記ケース壁部に対向するように前記第２の壁部側から挿入し、前記ケースに設けられ、前記ケース壁部に平行な棒状部を前記第２の壁部に設けられた孔部に挿通し、前記ケースに設けられた支持部により前記第２の壁部のうち前記棒状部の延出方向とは反対側の面を前記棒状部よりも前記第１の壁部側の位置にて支持し、前記リブに設けられた係合部を前記第２の壁部の前記第１の壁部とは反対側の端部に設けられた被係合部に前記棒状部の延出方向とは反対側へ係合させて前記第２の壁部の前記棒状部からの抜けを防止し、前記アンテナ部材を前記ケースに取り付けるアンテナ取付構造であって、前記アンテナ部材は、前記係合部と、前記第１の壁部の前記第２の壁部とは反対側の縁部との間で、且つ、前記棒状部と前記リブとの間を通り、且つ前記第１の壁部と前記第２の壁部との交差線に平行な所定の軸回りに回転可能に構成され、第１支点を構成するように前記ケースに対して前記棒状部から前記リブの方向に当接する第１当接部と、第２支点を構成するように前記ケースに対して前記棒状部の先端側から根元側の方向に当接する第２当接部と、を備えている。
【０００６】
好適には、前記第１当接部は、前記第１の壁部及び前記第２の壁部の内角側に形成された突支部であり、前記突支部は、前記リブに対して前記棒状部に直交する方向に当接し、前記突支部の縁部及び前記リブの縁部の少なくとも一方により前記第１支点を構成する。
【０００７】
好適には、前記第２当接部は、前記第１の壁部及び前記第２の壁部の少なくとも一方の前記交差線方向の端部から延出し、前記第２の壁部よりも前記第１の壁部の前記縁部側に位置する延出部であり、前記ケースには、前記ケースの前記ケース壁部と前記リブとの間において前記第２の壁部よりも前記棒状部の延出方向へ突出する延出部用突部が設けられ、前記延出部は、前記延出部用突部に対して前記棒状部に直交する方向に当接し、前記延出部の縁部により前記第２支点を構成する。
【０００８】
好適には、前記孔部は、前記第１の壁部に隣接して設けられ、前記孔部の前記第１の壁部側の部分は、前記第１の壁部に形成された溝部により形成されている。
【０００９】
本発明の第２の観点の携帯無線機は、第１ケースに設けられたケース壁部と、前記第１ケースに設けられ、前記ケース壁部と対向するリブとの間に、互いに直交して断面Ｌ字を構成する第１の壁部及び第２の壁部を有し、少なくとも前記第１の壁部にアンテナ素子を有するアンテナ部材を、前記第１の壁部が前記ケース壁部に対向するように前記第２の壁部側から挿入し、前記第１ケースに設けられ、前記ケース壁部に平行な棒状部を前記第２の壁部に設けられた孔部に挿通し、前記ケースに設けられた支持部により前記第２の壁部のうち前記棒状部の延出方向とは反対側の面を前記棒状部よりも前記第１の壁部側の位置にて支持し、前記リブに設けられた係合部を前記第２の壁部の前記第１の壁部とは反対側の端部に設けられた被係合部に前記棒状部の延出方向とは反対側へ係合させて前記第２の壁部の前記棒状部からの抜けを防止し、前記ケース壁部と前記リブとの間に挿入された前記アンテナ部材に第２ケースを被せ、前記第１ケースと前記第２ケースとを結合して筐体を構成する携帯無線機であって、前記第１ケースには、前記第２の壁部の前記第１の壁部とは交差しない部分を支持可能な第１支持突部が設けられ、前記第２ケースには、前記第１ケース側へ突出する第２支持突部が設けられ、前記第１ケースと前記第２ケースとを結合することにより、前記第１の壁部が前記支持部と前記第２ケースとにより挟持されるとともに、前記第２壁部が前記第１支持突部と前記第２支持突部とに挟持される。
【００１０】
本発明の第３の観点の携帯無線機は、第１ケースに設けられたケース壁部と、前記第１ケースに設けられ、前記ケース壁部と対向するリブとの間に、互いに直交して断面Ｌ字を構成する第１の壁部及び第２の壁部を有し、少なくとも前記第１の壁部にアンテナ素子を有するアンテナ部材を、前記第１の壁部が前記ケース壁部に対向するように前記第２の壁部側から挿入し、前記第１ケースに設けられ、前記ケース壁部に平行な棒状部を前記第２の壁部に設けられた孔部に挿通し、前記ケースに設けられた支持部により前記第２の壁部のうち前記棒状部の延出方向とは反対側の面を前記棒状部よりも前記第１の壁部側の位置にて支持し、前記リブに設けられた係合部を前記第２の壁部の前記第１の壁部とは反対側の端部に設けられた被係合部に前記棒状部の延出方向とは反対側へ係合させて前記第２の壁部の前記棒状部からの抜けを防止し、前記ケース壁部と前記リブとの間に挿入された前記アンテナ部材に第２ケースを被せ、前記第１ケースと前記第２ケースとを結合して筐体を構成する携帯無線機であって、前記アンテナ部材は、前記第１の壁部及び前記第２の壁部の少なくとも一方の前記交差線方向の端部から、前記第１の壁部よりも前記リブ側へ延出する延出部を有し、前記第１ケースと前記第２ケースとを結合することにより、前記第１の壁部が前記支持部と前記第２ケースとにより挟持されるとともに、前記延出部が第１ケースと前記第２ケースとに挟持される。
【００１１】
好適には、前記第１ケースのうち前記第２の壁部と対向する対向面部には、前記ケース壁部と前記リブとに挟まれる位置であって、前記第２ケースから見て前記係合部と重なる位置に開口部が形成され、前記対向面部及び前記第２の壁部の少なくとも一方には、前記対向面部、前記第２の壁部、前記ケース壁部及び前記リブにより囲まれ、前記開口部を含む空間を閉じる遮蔽リブが設けられている。
【発明の効果】
【００１２】
本発明によれば、アンテナの着脱が容易となると共に、組み立て性に優れた携帯無線機を提供することができる。
【発明を実施するための最良の形態】
【００１３】
（第１の実施形態）
図１は、本発明の第１の実施形態に係る携帯電話機１の外観を開状態で示す斜視図である。携帯電話機１は、いわゆる折り畳み式の携帯電話機として構成されており、開状態と閉状態との間で互いに回動可能に連結された受話筐体２及び送話筐体３を備えている。
【００１４】
受話筐体２及び送話筐体３は、それぞれの端部が回動の中心となる連結部４により連結されることにより携帯電話機１全体の筐体を構成するようになっている。受話筐体２及び送話筐体３は、それぞれ概ね薄型直方体状に形成されており、閉状態では互いに重ねあわされて互いの輪郭が略一致する。
【００１５】
受話筐体２には、例えば、通話用のスピーカ１０７（図１１参照）、報知用のスピーカ１０９（図１１参照）、受話筐体２の正面（紙面手前側の面）に画像や文字を表示するメイン表示部６、その背面に画像や文字を表示するサブ表示部１１０（図１１参照）、カメラモジュール１１１（図１１参照）が設けられている。送話筐体３には、例えば、通話用のマイクロフォン１０８（図１１参照）、通信のためのアンテナ部材２６（図２参照）、ユーザの操作を受け付ける操作部７が設けられている。
【００１６】
連結部４は、送話筐体３の端部に形成された凹部１０に、受話筐体２の端部に形成された凸部９が嵌合して構成されている。凹部１０及び凸部９の互いに摺動する面には不図示の筒状体とヒンジユニットからなる軸部材が携帯電話機１の幅方向（図１の紙面左右方向）に挿通され、当該軸部材を回転軸として受話筐体２及び送話筐体３は回転する。また、当該筒状体には、受話筐体２の電子回路と送話筐体３の電子回路とを接続する信号線が挿通されている。
【００１７】
図２（ａ）は、送話筐体３の分解斜視図であり、図２（ｂ）は、送話筐体３の外観斜視図である。いずれも、送話筐体３のうち閉状態において受話筐体２と対向する面（正面）とは反対側（背面側、図１の紙面奥手側）の面を見た図である。
【００１８】
送話筐体３は、閉状態で受話筐体２に対向する面側のフロントケース２１、その背面側のリアケース２２と、リアケース２２の背面側に被せられる蓋体２３とを備えている。フロントケース２１、リアケース２２、蓋体２３は、例えば非導電性の樹脂により構成され、互いに積層的に配置されている。
【００１９】
フロントケース２１及びリアケース２２の間には、高周波回路等の各種の電子回路が形成された基板２５と、基板２５に接続され、無線通信を行うための電波を送受信するためのアンテナ部材２６とが収納されている。基板２５は、例えば樹脂をベースとするプリント配線基板であり、リアケース２２の内面と対向している。基板２５とフロントケース２１との間には、図示は省略するが、例えば、基板２５をシールドするシールドケース、操作部７のキーに対応するスイッチが設けられたＦＰＣ、操作部７のキーが設けられたキーシートが積層されている。また、リアケース２２及び蓋体２３の間には不図示のバッテリが収納されている。
【００２０】
図３は、アンテナ部材２６のリアケース２２への取付方法の概要を説明する図であり、図３（ａ）は、アンテナ部材２６をリアケース２２へ取り付ける前の状態を、図３（ｂ）は、アンテナ部材２６をリアケース２２へ取り付けた状態を示している。
【００２１】
リアケース２２は、送話筐体３の背面を構成する背面部３１と、背面部３１のうち連結部４とは反対側の縁部と連続し、送話筐体３の外周面を構成する端部壁部３２と、端部壁部３２と対向するリブ３３とを有し、背面部３１、端部壁部３２及びリブ３３により、アンテナ部材２６を収納する凹状の収納空間３４を形成している。なお、背面部３１と端部壁部３２との稜部は曲面状に面取りされているから、曲面状の端部壁面とリブとにより凹状の収納空間が形成されていると捉えることもできる。
【００２２】
アンテナ部材２６は、収納空間３４に挿入され、後述する適宜な手段によって仮固定される。その後、図２に示すように、基板２５がアンテナ部材２６に積層され、フロントケース２１とリアケース２２とが互いに固定されることにより、最終的に固定される。
【００２３】
図４は、アンテナ部材２６のリアケース２２への仮固定の方法を説明する概念図である。
【００２４】
アンテナ部材２６は、互いに直交して断面Ｌ字を構成する第１壁部４１及び第２壁部４２を有している。第２壁部４２には孔部４３（図４では不図示。図５参照）が設けられている。一方、リアケース２２には、背面部３１からフロントケース２１側（紙面上方側）へ端部壁部３２やリブ３３に平行に延び、第２壁部４２の孔部４３に挿入可能な棒状部４４が設けられている。アンテナ部材２６は、第１壁部４１を端部壁部３２に対向させて、第２壁部４２側から収納空間３４に挿入され、棒状部４４は第２壁部４２の孔部４３に挿通される。これにより、アンテナ部材２６は、背面部３１に平行な方向（紙面左右方向）において位置決めされる。
【００２５】
リアケース２２には、端部壁部３２に隣接する支持部４５が設けられている。支持部４５は、端部壁部３２からリブ３３側に突出する段差部により構成されている。支持部４５は、第２壁部４２の第１壁部４１側の下面（背面部３１側の面）を支持する。これにより、アンテナ部材２６は、収納空間３４への挿入方向において、所定位置に位置決めされる。
【００２６】
なお、支持部４５は、段差部を形成せずに構成することもできる。すなわち、段差部を形成していなくても、第２の壁部４２が端部壁部３２の背面部３１側の曲面状部分に当接すれば、当該位置が支持部である。また、端部壁部３２が面取りされておらず、第２の壁部４２が背面部３１に当接すれば、当該位置が支持部である。
【００２７】
リブ３３には、係合部４６が形成されている。係合部４６は、第２壁部４２の第１壁部４１とは反対側の端部に設けられた被係合部４８に棒状部４４の延出方向とは反対側へ係合している。これにより、第２壁部４２の棒状部４４からの抜けが防止される。
【００２８】
なお、図４から理解されるように、第２の壁部４２の縁部は被係合部として機能可能であり、被係合部４８として特別な形状のものが設けられていなくてもよい。
【００２９】
以下、このような仮固定を行うための構成を含め、アンテナ部材２６及びリアケース２２の具体的な構成を説明する。
【００３０】
図５は、アンテナ部材の外観斜視図であり、図５（ａ）は、リアケース２２の背面部３１側且つリブ３３側から見た斜視図であり、図５（ｂ）は、リアケース２２の背面部３１側且つ端部壁部３２側から見た斜視図であり、図５（ｃ）はフロントケース２１側且つリブ３３側から見た斜視図である。
【００３１】
アンテナ部材２６は、アンテナ基体５１と、アンテナ基体５１に設けられるアンテナ素子５２と、アンテナ素子５２への給電部５３とを備えている。
【００３２】
アンテナ基体５１は、例えば、非導電性の樹脂により一体成形されている。アンテナ基体５１は、上述した第１壁部４１及び第２壁部４２を有し、全体として、第１壁部４１及び第２壁部４２の交差線（稜部）の延びる方向に長い長尺状に形成されている。
【００３３】
第２壁部４２は、アンテナ部材２６の長手方向の両端側においてフロントケース２１側へずれるように段差部５５が形成されている。段差部５５においては、第２壁部４２は厚くなっており、板厚部が形成されている。段差部５５の板厚増加分については、第２壁部４２と第１壁部４１との内角側に、第１壁部４１に対して第２壁部４２を支持する突支部が形成されていると捉えることもできる。なお、本実施形態の段差部５５は、第２壁部４２とは異なる部分として、あるいは、後述する延出部５６の一部として捉えることもできるが、説明の便宜上、本実施形態の説明では、第２壁部４２の一部として説明する。
【００３４】
第１壁部４１のうち、アンテナ部材２６の長手方向の両端側には、段差部５５よりも更に長手方向両端側へ延出する延出部５６が設けられている。なお、本実施形態の延出部５６は、第１壁部４１の一部と捉えることもできるし、第１壁部４１の端部から延出しているものと捉えることもできるが、説明の便宜上、本実施形態の説明では、第１壁部４１の端部から延出しているものとして説明する。
【００３５】
延出部５６は、第１壁部４１の端部から、徐々にリブ３３へ向かうように湾曲して設けられている。また、延出部５６は、第１壁部４１の高さ方向（紙面上下方向）において第２壁部４２とは反対側の所定範囲（例えば第１壁部４１の高さの半分）から延びている。延出部５６の第２壁部４２側の面は、アンテナ部材２６が収納空間３４に収納された際には、図３に示すように、リブ３３の端部側の一部及びリブ３３に連続する半円状のリブ３５の縁部（図３（ａ）のハッチング領域Ｒ１）に当接する。
【００３６】
上述した棒状部４４は、図３（ａ）に示すように、背面部３１と端部壁部３２との稜部内面から端部壁部３２やリブ３３に平行にフロントケース２１側に突出して設けられている。棒状部４４は、例えばリアケース２２の幅方向に２つ配置されている。
【００３７】
一方、図５に示すように、棒状部４４が挿通される孔部４３は、第２壁部４２の第１壁部４１寄りの位置であって、段差部５５よりも中央側の位置において、アンテナ部材２６の長尺方向に２つ設けられている。孔部４３の第１壁部４１側の一部は、第１壁部４１に形成された溝部５８によって構成されている。溝部５８は、孔部４３から、第１壁部４１のうち第２壁部４２とは反対側の端部まで棒状部４４の挿入方向に沿って形成されている。
【００３８】
上述した支持部４５は、図３（ａ）に示すように、端部壁部３２の内面にリブ３３側へ突出する段差部が形成されることにより構成されている。支持部４５には、第１壁部４１及び第２壁部４２の稜部が支持される。
【００３９】
上述した被係合部４８は、図５に示すように、段差部５５において、リアケース２２の背面部３１側の面と、リブ３３側の面との稜部において、リブ３３側に突出するように設けられている。一方、被係合部４８が係合する係合部４６は、図３（ａ）に示すように、リブ３３のうち端部壁部３２に対向する面に、背面部３１からリブ３３の縁部側へ延びる溝部が形成されることにより、リブ３３の縁部付近に形成されている。
【００４０】
アンテナ素子５２は、図５に示すように、例えば板金により構成され、所定のパターンでアンテナ基体５１に貼り付けられている。具体的には、第１壁部４１のうち端部壁部３２への対向面、延出部５６のうち端部壁部３２やリアケース２２の側面への対向面、第２壁部４２の背面部３１への対向面に亘って連続して延びている。
【００４１】
給電部５３は、アンテナ素子５２の一端に連続する板金により構成され、第２の壁部４２に形成された切り欠き部を介して第１の壁部４１及び第２の壁部４２の内角側へ延び、バネ接点を構成している。給電部５３は、基板２５に設けられた給電端子２８（図２（ａ）参照）に当接する。
【００４２】
以上の構成を有するアンテナ部材２６の着脱方法を説明する。
【００４３】
図６は、リアケース２２及びアンテナ部材２６を示す平面図であり、図７は、アンテナ部材２６のリアケース２２への仮固定の手順を説明する図であり、図８は、リアケース２２に仮固定されているアンテナ部材２６を取り外す手順を説明する図である。ただし、図８（ａ）及び図８（ｂ）は、仮固定の終了状態（図７の手順の終了状態）も示している。
【００４４】
まず、アンテナ部材２６のリアケース２２への仮固定の手順を説明する。
【００４５】
図７（ａ）〜図７（ｄ）は、アンテナ部材２６をリアケース２２へ取り付ける初期の段階を示しており、図７（ａ）は、図６のＡ−Ａ線における断面図、図７（ｂ）は、図６のＢ−Ｂ線における断面図、図７（ｃ）は斜視図、図７（ｄ）は側面図である。
【００４６】
この段階では、図７（ｂ）に示すように、棒状部４４が孔部４３に挿通され、第２壁部４２と第１壁部４１との稜部が支持部４５に当接しているものの、図７（ａ）に示すように、被係合部４８と係合部４６とは係合していない。また、図７（ｃ）及び図７（ｄ）に示すように、延出部５６と第１壁部４１との境界付近において延出部５６が端部壁部３２の縁部に当接し、アンテナ部材２６を紙面時計回りに回転させる支点Ｐ１を構成している。
【００４７】
なお、端部壁部３２の縁部には段差が形成されており、端部壁部３２は、外側縁部３２ａと、外側縁部３２ａよりもリアケース２２の内側において外側縁部３２ａよりもフロントケース２１側に突出する内側縁部３２ｂとを有している。外側縁部３２ａはフロントケース２１の縁部と対向し、内側縁部３２ｂはフロントケース２１の内部へ嵌合する。支点Ｐ１は内側縁部３２ｂと延出部５６との当接部により構成されている。
【００４８】
図７（ｅ）〜図７（ｈ）は、図７（ａ）〜図７（ｄ）の続きの段階を示しており、図７（ｅ）は、図６のＡ−Ａ線における断面図、図７（ｆ）は、図６のＢ−Ｂ線における断面図、図７（ｇ）は斜視図、図７（ｈ）は側面図である。
【００４９】
上述した支点Ｐ１を支点としてアンテナ部材２６を紙面時計回りに回転させる力を加えると、図７（ｅ）に示すように、被係合部４８は、リブ３３のうち係合部４６よりも紙面上方側を摺動し、紙面下方側へ移動し、また、図７（ｆ）に示すように、孔部４３は棒状部４４へ更に挿入されていく。この際、アンテナ部材２６の支点は、支点Ｐ１から、延出部５６とリブ３５との当接部により構成される支点Ｐ２へ移動していく。
【００５０】
図８（ａ）及び図８（ｂ）は、図７（ｅ）〜図７（ｈ）の続きの段階であって、アンテナ部材２６のリアケース２２への仮固定の最終段階を示しており、図８（ａ）は、図６のＡ−Ａ線における断面図、図８（ｂ）は、図６のＢ−Ｂ線における断面図である。
【００５１】
図８（ａ）に示すように被係合部４８と係合部４６とは係合し、図８（ｂ）に示すように棒状部４４は孔部４３に挿入され、第１壁部４１と第２壁部４２との稜部は支持部４５に支持される。ただし、本実施形態では、アンテナ部材２６が、被係合部４８と係合部４６とが当接する位置から、第１壁部４１と第２壁部４２との稜部が支持部４５に当接する位置まで、若干移動できるように遊びが設定されており、図８（ｂ）では、その遊び分だけ、第１壁部４１と第２壁部４２との稜部を支持部４５から浮かした状態を図示している。
【００５２】
次に、仮固定されたアンテナ部材２６の取り外し手順を説明する。
【００５３】
図８（ａ）及び図８（ｂ）において、第１壁部４１の縁部４１ａ側にリブ３３側へ（紙面右側へ）の力Ｆ１を加える。これにより、アンテナ部材２６は紙面時計回りに回転し、リアケース２２から取り外される。具体的には以下のとおりである。
【００５４】
図５（ａ）に示すように、延出部５６のうちリアケース２２の背面部３１側（紙面上方側）の面とリブ３３側（紙面手前側）の面との稜部５６ａと、段差部５５のフロントケース２１側（紙面下方側）の面とリブ３３側の面との稜部５５ａとは、軸Ｏ１上に配置されている。軸Ｏ１は、棒状部４４に直交する方向（第１壁部４１に直交する方向）において、孔部４３（棒状部４４）よりもリブ３３側に位置している。また、軸Ｏ１は、棒状部４４の延出方向において、被係合部４８よりも棒状部４４の先端側（紙面下方側）、且つ、第１壁部４１の第２壁部４２とは反対側の縁部４１ａを越えない位置に位置している。
【００５５】
図８（ｃ）は、図６のＡ−Ａ線における断面図である。アンテナ部材２６は、棒状部４４からリブ３３の方向へ（紙面右側へ）、リブ３３に当接しているから、紙面右側への力Ｆ１に対する反力Ｆ２をリブ３３のアンテナ部材２６側の面から受ける。また、アンテナ部材２６のリブ３３側の面と、リブ３３のアンテナ部材２６側の面との当接面のうち、最もフロントケース２１側（紙面上方側）の部分は、稜部５５ａである。そして、上述のように、稜部５５ａ（軸Ｏ１）の位置は、第１壁部４１の縁部４１ａよりも紙面下方側である。換言すれば、力Ｆ１が加えられる点よりも紙面下方側である。
【００５６】
従って、力Ｆ１と反力Ｆ２とにより、紙面時計回りのモーメントが生じ、稜部５５ａとリブ３３のアンテナ部材２６側の面との当接部を回転支点ｆ１としてアンテナ部材２６は回転する。
【００５７】
図９は、仮固定されたアンテナ部材２６をリアケース２２から取り外す途中経過を示す斜視図である。この図に示すように、アンテナ部材２６は、軸Ｏ１上の回転支点ｆ１回りに回転している。
【００５８】
図８（ｃ）に示すように、稜部５５ａ（軸Ｏ１）の位置は、被係合部４８よりも第１壁部４１の縁部４１ａ側に位置している。換言すれば、回転支点ｆ１を挟んで、力Ｆ１が加えられる点と被係合部４８とは反対側に位置している。従って、アンテナ部材２６の回転支点ｆ１回りの紙面時計回り方向への回転により、被係合部４８はリブ３３から離れる。換言すれば、被係合部４８は、係合部４６との係合を解除する方向に移動する。
【００５９】
なお、稜部５５ａは、具体的には、リブ３３のうち、図３においてハッチング領域Ｒ２で示す範囲の部分に当接する。また、回転支点ｆ１が稜部５５ａとリブ３３のアンテナ部材２６側の面とにより構成されるものとして説明したが、図８（ｃ）から理解されるように、稜部５５ａの位置とリブ３３の縁部３３ａの位置とは略一致しており、厳密には、縁部３３ａによって回転支点ｆ１が構成される場合がある。すなわち、図８（ａ）及び図８（ｂ）の説明において述べたように、アンテナ部材２６とリブ３３とは所定の余裕量だけ移動可能であり、また、アンテナ部材２６を取り外すときの力の入れ具合によりアンテナ部材２６は若干上下する。そして、稜部５５ａがリブ３３のアンテナ部材２６側の面に当接する状態となれば、稜部５５ａにより回転支点ｆ１が構成されるし、リブ３３の縁部３３ａが段差部５５のリブ３３側の面に当接する状態となれば、縁部３３ａにより回転支点ｆ１が構成される。
【００６０】
図８（ｅ）は、図６のＣ−Ｃ線における断面図である。上述のように、アンテナ部材２６を紙面時計回りに回転させることにより、被係合部４８と係合部４６との係合を外すことができても、アンテナ部材２６が棒状部４４の根元側にずれ落ちてしまっては、アンテナ部材２６を棒状部４４から引き抜くことが困難になり、アンテナ部材２６を取り外し難くなる。
【００６１】
ここで、上述のように、延出部５６のリアケース２２の背面部３１側（紙面下方側）の面は、リアケース２２のリブ３５によって棒状部４４の根元側から先端側の方向へ支持されている。すなわち、アンテナ部材２６はリアケース２２から反力Ｆ３を受けている。また、アンテナ部材２６において、棒状部４４の根元側から先端側の方向へ支持される面のうち、最もリブ３３側の部分は、稜部５６ａである。
【００６２】
従って、図８（ｅ）及び図９に示すように、アンテナ部材２６に対して生じた紙面時計回りのモーメントにより、稜部５６ａとリブ３５のアンテナ部材２６側の面との当接部を回転支点ｆ２として、端部壁部３２側（紙面左側）が持ち上がるように、アンテナ部材２６は回転する。すなわち、アンテン部材２６は、棒状部４４の根元側にずれ落ちない。なお、回転支点ｆ２は回転支点ｆ１と同軸である。
【００６３】
また、図８（ｅ）に示すように、稜部５６ａ（軸Ｏ１）の位置は、棒状部４４よりもリブ３３側（紙面右側）であることから、アンテナ部材２６は、紙面左側が持ち上がることにより、棒状部４４が孔部４３から引き抜かれる方向に移動する。
【００６４】
図８（ｄ）は、図６のＢ−Ｂ線における断面図である。棒状部４４は、最終的には、棒状部４４や第２壁部４２の孔部４３周辺の弾性変形を伴って孔部４３から引き抜かれる。しかし、アンテナ部材２６は、紙面左側が持ち上がるように回転し、孔部４３が棒状部４４の先端側に移動した状態で弾性変形が生じるから、弾性変形の量は少なくてよい。換言すれば、アンテナ部材２６は低荷重でリアケース２２から取り外される。
【００６５】
なお、図８（ａ）及び図８（ｂ）の状態から、図８（ｃ）〜（ｅ）の状態を経由して、アンテナ部材２６が取り外される過程において、アンテナ部材２６の第１壁部４１がリアケース２２の端部壁部３２側の部材に、アンテナ部材２６の第２壁部４２がリアケース２２の背面部３１側の部材に当接しないように、部材間にクリアランスが設けられていることが好ましい。なお、多少、第１壁部４１や第２壁部４２がリアケース２２に当接しても、部材の弾性変形により取り外しは可能である。
【００６６】
図１０は、アンテナ部材２６の仮固定の後、フロントケース２１とリアケース２２とを互いに固定して、アンテナ部材２６を送話筐体３に対して最終的に固定する方法を説明する図であり、図１０（ａ）は、送話筐体３の平面図、図１０（ｂ）は、図１０（ａ）のＸｂ−Ｘｂ線矢視方向の断面図、図１０（ｃ）は、図１０（ａ）のＸｃ−Ｘｃ線矢視方向の断面図、図１０（ｄ）は、図１０（ｂ）の領域ａの拡大図、図１０（ｅ）は、図１０（ｃ）の領域ｂの拡大図である。
【００６７】
図１０（ｅ）に示すように、フロントケース２１とリアケース２２とは、フロントケース２１の内面に設けられたネジボス２７（図２（ａ）も参照）が、リアケース２２の内面に設けられたリブ３５（図３（ａ）も参照）に嵌合挿入されること等により互いに位置決めされ、リアケース２２に挿通されたネジ７１がネジボス２７に螺合されることにより、互いに固定される。その後、リアケース２２には、蓋体２３が取り付けられる。蓋体２３の取り付けは、図１０（ｄ）に示すように、リアケース２２に設けられた係合孔部７２に蓋体２３に設けられた係合突部７３が挿入されて係合すること等により行われる。
【００６８】
図５に示すように、段差部５５と延出部５６には、ネジボス２７と嵌合する凹部７５が形成されている。そして、段差部５５のリアケース２２側の面のうち、ハッチングして示す領域Ｒ４は、リアケース２２の内側面のうち、図３においてハッチングして示す領域Ｒ３に当接する。領域Ｒ３は、リアケース２２からフロントケース２１側に突出する突部３７の先端面に設けられている。突部３７の先端面は、ネジボス２７の先端面が当接する面である。なお、領域Ｒ３は、ネジボス２７と嵌合するリブ３５の切り欠き部を構成している。
【００６９】
図１０（ｅ）に示すように、段差部５５のうち領域Ｒ３とは反対側（フロントケース２１側）の面には、基板２５の領域Ｒ５（図２のハッチング領域も参照）が当接する。基板２５は、フロントケース２１においてネジボス２７に隣接して設けられた段差部７７に当接する。従って、段差部５５は、リアケース２２の内面の領域Ｒ３と、フロントケース２１の段差部７７とにより、基板２５を介して挟持されている。
【００７０】
図４等に示したように、第１壁部４１は、リアケース２２の支持部４５により支持されている。また、図１０（ｅ）に示すように、延出部５６のリアケース２２側の面は、リブ３５に支持されている。一方、第１壁部４１及び延出部５６のフロントケース２１側の面は、図５等に示すように、互いに同一平面状であるとともに、図１０（ｅ）に示すように、フロントケース２１の内面に当接する。従って、第１壁部４１はリアケース２２の支持部４５及びフロントケース２１により挟持され、延出部５６はリアケース２２のリブ３５及びフロントケース２１により挟持されている。
【００７１】
図１１は、携帯電話機１の信号処理系の構成の一例を示すブロック図である。ＣＰＵ１０１及びメモリ１０２は例えばＩＣにより構成され、操作部７等の各種手段からの信号に基づいて所定の演算を行い、画像処理部１０３等の各種手段の制御を実行する制御部として機能する。
【００７２】
通信処理部１０４は、高周波回路を含んで構成され、電波を利用した無線通信を行うために、ＣＰＵ１０１で処理された音声データ、画像データ等の各種データを変調して、アンテナ部材２６を介して送信する。また、通信処理部１０４は、アンテナ１０５を介して受信した信号を復調してＣＰＵ１０１に出力する。
【００７３】
音響処理部１０６は、ＣＰＵ１０１からの音響データを音響信号に変換して通話用のスピーカ１０７、報知や音楽再生用のスピーカ１０９に出力する。又、音響処理部１０６は、マイクロフォン１０８からの音響信号を音響データに変換してＣＰＵ１０１に出力する。
【００７４】
画像処理部１０３は、ＣＰＵ１０１からの画像データを画像信号に変換してメイン表示部６、サブ表示部１１０に出力する。また、カメラモジュール１１１から出力される撮像信号（画像データ）を所定のフォーマットの画像データに変換してＣＰＵ１０１へ出力する。
【００７５】
以上の実施形態によれば、図４において説明したように、棒状部４４、支持部４５、係合部４６によりアンテナ部材２６を仮固定する構成であるから、アンテナ部材２６の取り付けが容易である。さらに、図８において説明したように、棒状部４４の延出方向において、係合部４６と第１壁部４１の縁部４１ａとの間の位置を通り、且つ、棒状部４４に直交する方向における、棒状部４４よりもリブ３３側の位置を通る、第１壁部４１と第２壁部４２との交差線に平行な軸Ｏ１回りに回転可能に、回転支点ｆ１、ｆ２が構成されているから、アンテナ部材２６を回転させることにより簡単にアンテナ部材２６をリアケース２２から取り外せる。
【００７６】
回転支点ｆ１は、段差部５５の稜部５５ａとリブ３３とが当接することにより構成されるから、第１壁部４１と第２壁部４２との交差部の強度を補強する部分を回転支点ｆ１の構成部として兼用でる。さらに、段差部５５は、フロントケース２１とリアケース２２とにより挟持される。従って、アンテナ部材２６は送話筐体３に対して最終的に安定して取付可能である。
【００７７】
回転支点ｆ２は、延出部５６の稜部５６ａとリブ３５とが当接することにより構成される。また、延出部５６は、フロントケース２１とリアケース２２とにより挟持される。従って、延出部５６は、仮固定の取り外しの容易性と送話筐体３への最終的な安定した固定との双方に寄与することになり、アンテナ部材２６の構成の簡素化が図られる。また、延出部５６は、第１壁部４１からリブ３３側へ延出しており、第１壁部４１の同一平面上にないから、第１壁部４１の挟持と、延出部５６の挟持とにより、アンテナ部材２６はより安定して固定される。
【００７８】
アンテナ部材２６の回転による棒状部４４の孔部４３からの引抜は、孔部４３と軸Ｏ１との距離（回転半径）が大きくなり、孔部４３の軌跡が弧から直線に近づくほど容易化される。アンテナ部材２６の孔部４３は、なるべく軸Ｏ１から離れるように、第１壁部４１に溝部を形成して構成されているから、棒状部４４の引抜が容易である。
【００７９】
なお、以上の実施形態において、リアケース２２は、本発明のケース及び第１ケースの一例であり、端部壁部３２は本発明のケース壁部の一例であり、リブ３３は本発明のリブの一例であり、軸Ｏ１は本発明の所定の軸の一例であり、回転支点ｆ１は本発明の第１支点の一例であり、回転支点ｆ２は本発明の第２支点の一例であり、段差部５５は本発明の第１当接部、突支部の一例であり、延出部５６は本発明の第２当接部の一例であり、突部３７は本発明の第１支持突部の一例であり、段差部７７は本発明の第２支持突部の一例であり、リブ３５は本発明の延出部用突部の一例である。
【００８０】
（第２の実施形態）
図１２は、本発明の第２の実施形態において、解決しようとする課題を説明する図であり、図１２（ａ）は、リアケース２２の係合部４６及び係合孔部７２の形成方法を説明する斜視図、図１２（ｂ）は、図１２（ａ）とは異なる状態の斜視図、図１２（ｃ）は、図１２（ｂ）の平面図、図１２（ｄ）は、図１２（ｂ）のＶＩＩｄ−ＶＩＩｄ線矢視方向の断面図である。
【００８１】
リアケース２２は、例えば射出成形により形成され、リアケース２２の外側（紙面上方側）に配置される金型と、リアケース２２の内側（紙面下方側）に配置される金型とにより形成されるキャビティに樹脂が充填されることにより形成される。そして、部分金型１５１は、リアケース２２の外側に配置される金型の一部を示している。
【００８２】
リアケース２２の係合部４６は、リアケース２２内部のリブ３３において、型開閉方向（図１２（ｄ）の紙面上下方向）に対して直交する方向に突出するように形成されている（図１０（ｄ）も参照）。従って、金型により係合部４６を形成するためには、リアケース２２の外側から内側へ部分金型１５１の第１突出部１５２を貫通させなければならない。仮に、リアケース２２の内側に配置される金型に、型開閉方向に直交する方向の凹部を設けて係合部４６を形成するとすれば、係合部４６と凹部とが係合してしまうから、リアケース２２を離型させることができない。
【００８３】
その結果、リアケース２２には、係合部４６の位置に孔部８１（図１２（ａ））が形成されることになる。また、図１０（ｄ）に示したように、蓋体２３とリアケース２２との固定を、リアケース２２に設けられた係合孔部７２により行う場合には、孔部８１に隣接して係合孔部７２が設けられる場合もある。なお、係合孔部７２は部分金型１５１の第２突出部１５３により形成される。
【００８４】
孔部８１及び係合孔部７２は、蓋体２３により塞がれて、基本的には埃や水の浸入が防止される。しかし、埃や水が浸入した場合には、アンテナ部材２６を配置するための収納空間３４を介して携帯電話機１の内部へ埃や水が侵入することになり好ましくない。そこで、第２の実施形態では、第１の実施形態の構成に加え、孔部８１や係合孔部７２からの埃や水の侵入を防止する構成を追加する。
【００８５】
図１３（ａ）は、アンテナ部材２６の一部を示す斜視図であり、図１３（ｂ）は、第２の実施形態のリアケース２２２の内部側の一部を示す斜視図であり、図１４（ａ）は、第２の実施形態のリアケース２２２の平面図であり、図１４（ｂ）は、図１４（ａ）のＸＩＩｂ−ＸＩＩｂ線矢視方向における断面図であり、図１４（ｃ）は、図１４（ａ）のＸＩＩｃ−ＸＩＩｃ線矢視方向における断面図であり、図１４（ｄ）は、図１４（ｂ）の領域ｃの拡大図であり、図１４（ｅ）は、図１４（ｃ）の領域ｄの拡大図である。
【００８６】
アンテナ部材２６は、第１の実施形態と同様のものである。リアケース２２２は、第１の実施形態のリアケース２２と略同様であるが、図１３（ｂ）に示すように、リブ２３６が設けられている点が第１の実施形態と相違する。
【００８７】
リブ２３６は、リアケース２２の背面部３１からフロントケース２１側へ突出しており、第１リブ２３６ａ、第２リブ２３６ｂ、第１リブ２３６ｃを有している。第１リブ２３６ａは、収納空間３４を、孔部８１や係合孔部７２が配置されている端部側の領域３４ｂと、中央側の領域３４ａとに仕切る。第２リブ２３６ｂは、支持部４５上に設けられ、端部壁部３２に沿って延びる。第３リブ２３６ｃは、収納空間３４を、領域３４ｂと、領域３４ｂよりも端部側の領域３４ｃとに仕切る。なお、第３リブ２３６ｃは、フロントケース２１のネジボス２７の先端面が当接する突部３７と連続している。
【００８８】
図１３（ｂ）においてハッチングして示すリブ２３６の上端面Ｒ６は、図１３（ａ）においてハッチングして示すアンテナ部材２６の段差部５５の面Ｒ７と当接又は比較的微小隙間で対向する。
【００８９】
従って、第１リブ２３６ａにより、領域３４ａへの埃や水の浸入が防止される（図１４（ｅ）も参照）。第２リブ２３６ｂにより、端部壁部３２側を経由したフロントケース２１側等への埃や水の浸入が防止される（図１４（ｄ）も参照）。第３リブ２３６ｃにより、領域３４ｃへの埃や水の浸入が防止される（図１４（ｅ）も参照）。
【００９０】
なお、上端面Ｒ６には、図３において示した領域Ｒ３が含まれ、面Ｒ７には、図５において示した領域Ｒ４が含まれている。また、リブ２３６は、アンテナ部材２６のリアケース２２側に設けることも可能である。
【００９１】
第２の実施形態において、背面部３１は本発明の対向面部の一例であり、孔部８１は本発明の開口部の一例であり、リブ２３６は本発明の遮蔽リブの一例である。
【００９２】
本発明は、以上の実施形態に限定されず、種々の態様で実施してよい。
【００９３】
本発明は、無線による受信及び送信の少なくともいずれか一方を行う、あらゆる機器に適用可能であり、適用範囲は携帯電話機に限定されない。例えば、ノートパソコン、ＰＤＡに適用されてもよい。
【００９４】
アンテナの収納空間を形成するケース壁部及びリブは、いずれも、互いに概ね対向する部材であればよい。ケース壁部及びリブの名称は、便宜上、互いに異なる名称を付けたに過ぎず、ケース壁部及びリブをそれぞれケース外周面及びケースの内部のリブに限定するものではない。例えば、ケース壁部がケース内部に設けられたリブにより構成されてもよいし、ケース壁部に対向するリブがケース外周面により構成されてもよい。
【００９５】
回転支点は、アンテナ部材及びケースの少なくとも一方の部材のうち鋭角を有する部分が他方の部材に当接して構成されればよく、アンテナ部材の稜部により構成されるものに限定されない。ケースのリブの縁部がアンテナ部材の平面部に当接して支点を構成してもよい。
【００９６】
なお、本願からは、アンテナ部材を回転させて取り外すことを前提としない、遮蔽リブを設けた携帯無線機の発明を抽出可能である。
【図面の簡単な説明】
【００９７】
【図１】本発明の第１の実施形態に係る携帯電話機を開状態で示す外観斜視図。
【図２】図１の携帯電話機の送話筐体の分解斜視図。
【図３】図１の携帯電話機におけるアンテナ部材のリアケースへの取付方法の概要を説明する図。
【図４】図１の携帯電話機におけるアンテナ部材のリアケースへの仮固定の方法を説明する概念図。
【図５】図１の携帯電話機のアンテナ部材の外観斜視図。
【図６】図１の携帯電話機のリアケース及びアンテナ部材を示す平面図。
【図７】図１の携帯電話機におけるアンテナ部材のリアケースへの仮固定の手順を説明する図。
【図８】図１の携帯電話機におけるリアケースに仮固定されているアンテナ部材を取り外す手順を説明する図。
【図９】図１の携帯電話機における仮固定されたアンテナ部材をリアケースから取り外す途中経過を示す斜視図。
【図１０】図１の携帯電話機においてアンテナ部材を送話筐体に対して最終的に固定する方法を説明する図。
【図１１】図１の携帯電話機の信号処理系の構成の一例を示すブロック図。
【図１２】本発明の第２の実施形態の課題を説明する図。
【図１３】本発明の第２の実施形態のリアケースを示す斜視図。
【図１４】本発明の第２の実施形態のリアケースを示す平面図及び断面図。
【符号の説明】
【００９８】
２２…リアケース、３２…端部壁部（ケース壁部）、３３…リブ、４１…第１壁部、４２…第２壁部、５２…アンテナ素子、２６…アンテナ部材、４４…棒状部、４３…孔部、４５…支持部、４６…係合部、４８…被係合部、Ｏ１…軸、ｆ１…回転支点（第１支点）、ｆ２…回転支点（第２支点）、５５…段差部（第１当接部）、５６…延出部（第２当接部）。
【図１】
0004611239.tif 000002
【図２】
0004611239.tif 000003
【図３】
0004611239.tif 000004
【図４】
0004611239.tif 000005
【図５】
0004611239.tif 000006
【図６】
0004611239.tif 000007
【図７】
0004611239.tif 000008
【図８】
0004611239.tif 000009
【図９】
0004611239.tif 000010
【図１０】
0004611239.tif 000011
【図１１】
0004611239.tif 000012
【図１２】
0004611239.tif 000013
【図１３】
0004611239.tif 000014
【図１４】
0004611239.tif 000015